(57)【要約】【課題】コンテンツの種類や環境光などの変化に容易に対応できるとともに、調整を容易とする。【解決手段】入力された画像データに対し、異なる画質調整パラメータを適用した原比較用画面データを複数生成し、生成された原比較用画面データに基づいて、異なる画質調整パラメータを適用した複数の画像を合成した比較用画面を表す比較用画面データを生成し、生成した比較用画面データに基づいて比較用画面の表示を行い、比較用画面に含まれる、異なる画質調整パラメータを適用した複数の画像のうち、いずれかの画像を選択させ、選択された画像に適用された画質調整パラメータを設定画質調整パラメータとし、入力された画像に設定画質調整パラメータを適用して、画質調整画面を生成し、表示を行う。【選択図】図４
2008187320.tif 000002
【特許請求の範囲】
【請求項１】
入力された画像データに対し、設定画質調整パラメータを適用して画像を表示する画像表示装置であって、
前記画像データに対し、異なる画質調整パラメータを適用した原比較用画面データを複数生成する画質調整部と、
前記画質調整部が生成した前記原比較用画面データに基づいて、異なる画質調整パラメータが適用された複数の画像を合成した比較用画面を表す比較用画面データを生成する比較画面生成部と、
前記比較画面生成部が生成した前記比較用画面データに基づいて前記比較用画面を表示する表示部と、
前記比較用画面に含まれる、互いに適用された画質調整パラメータが異なる複数の画像のうち、いずれかの画像を選択させる選択部と、
前記選択された画像に適用された前記画質調整パラメータを前記設定画質調整パラメータとするパラメータ設定部と、
を備えたことを特徴とする画像表示装置。
【請求項２】
請求項１記載の画像表示装置において、
前記画質調整部は、前記入力画像データを記憶する入力画像記憶部と、
前記入力画像記憶部に記憶した前記入力画像データに対し、互いに適用する画質調整パラメータを異ならせて複数の前記原比較用画面データを生成する原比較用画面データ生成部と、を備え、
前記比較画面生成部は、前記原比較用画面データ生成部により生成された前記複数の原比較用画面データに基づいて前記比較用画面データを生成する、
ことを特徴とする画像表示装置。
【請求項３】
請求項２記載の画像表示装置において、
前記比較画面生成部は、前記原比較用画面データが表す画像を縮小して縮小画像データを生成する画像縮小部と、
前記画像縮小部により生成された複数の縮小画像データをそれぞれ記憶する複数の縮小画像記憶部と、
前記複数の縮小画像データが表す画像を合成して前記比較用画面データを生成する画像合成部と、
を備えたことを特徴とする画像表示装置。
【請求項４】
請求項１記載の画像表示装置において、
前記画質調整部は、前記入力画像データに対し、前記設定画質調整パラメータを適用して前記画質調整画像データを生成する第１画質調整部および前記入力画像データが表す画像を縮小した画像が表す縮小入力画像データに対し互いに適用する画質調整パラメータが異なり、それぞれが前記原比較用画面データを生成する複数の第２画質調整部を有し、
前記比較画面生成部は、前記複数の第２画質調整部がそれぞれ出力した複数の原比較用画面データに基づいて前記比較用画面データを生成する、
ことを特徴とする画像表示装置。
【請求項５】
請求項４記載の画像表示装置において、
前記比較画面生成部は、前記入力画像データが表す画像を縮小した画像に対応する縮小入力画像データを生成する画像縮小部と、
前記縮小入力画像データを複数の前記第２画質調整部に分配する画像分配部と、
前記複数の第２画質調整部がそれぞれ出力した複数の前記原比較用画面データが表す画像を合成して前記比較用画面データを生成する画像合成部と、
を備えたことを特徴とする画像表示装置。
【請求項６】
請求項１ないし請求項５のいずれかに記載の画像表示装置において、
画質調整パラメータとして、一又は複数のプリセットされた画質調整パラメータを適用することを特徴とする画像表示装置。
【請求項７】
請求項１ないし請求項６のいずれかに記載の画像表示装置において、
前記画質調整パラメータは、明るさ、コントラスト、色の濃さ、色相、シャープネスおよび色温度のうち少なくともいずれかを含むことを特徴とする画像表示装置。
【請求項８】
入力された画像データに対し、設定画質調整パラメータを適用して画像を表示する画像表示方法であって、
前記画像データに対し、異なる画質調整パラメータを適用した原比較用画面データを複数生成する画質調整過程と、
前記画質調整過程により生成された前記原比較用画面データに基づいて、異なる画質調整パラメータを適用した複数の画像を合成した比較用画面を表す比較用画面データを生成する比較画面生成過程と、
前記比較画面生成過程において生成した前記比較用画面データに基づいて前記比較用画面の表示を行う表示過程と、
前記比較用画面に含まれる、異なる画質調整パラメータを適用した複数の画像のうち、いずれかの画像を選択させる選択過程と、
前記選択された画像に適用された前記画質調整パラメータを前記設定画質調整パラメータとするパラメータ設定過程と、
を備えたことを特徴とする画像表示方法。
【請求項９】
表示部を有し、入力された画像データに対し、設定画質調整パラメータを適用して画像を表示する画像表示装置をコンピュータにより制御するための制御プログラムであって、
前記画像データに対し、異なる画質調整パラメータを適用した原比較用画面データを複数生成させ、
生成した前記原比較用画面データに基づいて、異なる画質調整パラメータを適用した複数の画像を合成した比較用画面を表す比較用画面データを生成させ、
生成した前記比較用画面データに基づいて前記比較用画面を前記表示部に表示させ、
前記比較用画面に含まれる、異なる画質調整パラメータを適用した複数の画像のうち、いずれかの画像を選択させ、
前記選択された画像に適用された前記画質調整パラメータを前記設定画質調整パラメータとする、
ことを特徴とする制御プログラム。
【発明の詳細な説明】
【技術分野】
【０００１】
本発明は、画像表示装置、画像表示方法および制御プログラムに係り、特にユーザが所望の画質調整を行うのに好適な画像表示装置、画像表示方法および制御プログラムに関する。
【背景技術】
【０００２】
テレビ放送やＤＶＤなどの映像信号を表示する映像表示装置には、ユーザが調整可能な明るさ、コントラスト、色の濃さ、色相、シャープネス、色温度などの調整項目からなる画質調整機能があり、個別に調整することも可能であるが、通常、これらをあらかじめ設定したプリセット値として、ダイナミック、スタンダード、シアターなどのモード（プリセット）が準備されている。
例えば、ダイナミックモードでは、コントラストや色の濃さを強調して、日中のリビングルームなどの明るい場所でテレビ番組を視聴しやすく設定される。またシアターモードでは、コントラストや色の濃さを控えめにして、明るさ（ブライトネス）は映像信号の黒レベルの階調性が判別できる程度にするなど、薄暗い場所で映画のコンテンツを視聴しやすく設定される。
すなわち、最適な調整は、コンテンツの種類や、視聴環境の明るさ、各ユーザの好みによって異なるので、プリセットされたモードをユーザが任意に選択するような構成を採っていた。
【０００３】
さらにより各ユーザの好みを反映させたい場合等には、コントラスト、色の濃さ、明るさ等のパラメータをユーザに個別に調整させ、ユーザプリセットモードとして記憶させ、以降の視聴にプリセットモードの選択肢に加えるようにしていた。
ところで、これらのプリセットモードに対応するパラメータ群あるいは個別のパラメータを選択する場合には、一度に一つの画面しか表示できないため、試行錯誤しながら選択する必要があり、最適な調整の設定に時間がかかっていた。
これを解決する手段として、特許文献１記載の技術は、基準画面（調整前）と調整画面との二つの画面を同時に表示画面に表示し、基準画面と比較しつつ調整画面の調整を行う旨が記載されている。
【０００４】
特許文献１記載の技術によれば、基準画面と調整画面とでどちらがより好ましい画質を有するのかの判断は容易であった。
また、特許文献２記載の技術は、放送の種類（放送チャンネルの違い）や入力メディアによる画質の違いに起因して、表示対象の画像を切り替えた場合の画質の変化を抑制するために、放送の種類あるいは入力メディア毎に画質調整パラメータを記憶しておくことを提案している。また、表示画面にマルチ画面を表示し、画質調整パラメータをコピーすることによって画質調整に時間を要せず、画質の違いを理解しやすくする旨が記載されている。
【特許文献１】特開２００２−２１８３５０号公報
【特許文献２】特開２００６−１５７２２２号公報
【発明の開示】
【発明が解決しようとする課題】
【０００５】
上記特許文献１記載の技術は、基準画面と調整画面との比較は容易であるが、より最適な設定状態であるか否かの判断は困難であり、基準画面と調整画面との比較を繰り返し行う必要があり、調整に非常に時間がかかってしまうという問題点があった。
さらにコンテンツの種類や環境光などが変化するたびに調整の必要があり、実用的ではなかった。
また上記特許文献２記載の技術は、放送の種類あるいは入力メディア毎に画質調整パラメータを記憶しておく構成であるため、コンテンツの種類や環境光などの変化には対応できないという問題点があった。
そこで、本発明の目的は、コンテンツの種類や環境光などの変化に容易に対応できるとともに、画質の調整が容易な画像表示装置、画像表示方法および制御プログラムを提供することにある。
【課題を解決するための手段】
【０００６】
上記課題を解決するため、本発明の第一形態は、入力された画像データに対し、設定画質調整パラメータを適用して画像を表示する画像表示装置であって、前記画像データに対し、異なる画質調整パラメータを適用した原比較用画面データを複数生成する画質調整部と、前記画質調整部が生成した前記原比較用画面データに基づいて、異なる画質調整パラメータが適用された複数の画像を合成した比較用画面を表す比較用画面データを生成する比較画面生成部と、前記比較画面生成部が生成した前記比較用画面データに基づいて前記比較用画面を表示する表示部と、前記比較用画面に含まれる、互いに適用された画質調整パラメータが異なる複数の画像のうち、いずれかの画像を選択させる選択部と、前記選択された画像に適用された前記画質調整パラメータを前記設定画質調整パラメータとするパラメータ設定部と、を備えたことを特徴としている。
【０００７】
上記構成によれば、画質調整部は、画像データに対し、異なる画質調整パラメータを適用した原比較用画面データを複数生成する。
また、比較画面生成部は、前記画質調整部が生成した前記原比較用画面データに基づいて、異なる画質調整パラメータが適用された複数の画像を合成した比較用画面を表す比較用画面データを生成する。
これにより表示部は、比較画面生成部が生成した比較用画面データに基づいて比較用画面を表示する。
選択部は、比較用画面に含まれる、互いに適用された画質調整パラメータが異なる複数の画像のうち、いずれかの画像を選択させる。
【０００８】
これらの結果、パラメータ設定部は、選択された画像に適用された画質調整パラメータを設定画質調整パラメータとする。
パラメータを適用した後の画質調整画面データに基づいて画質調整画面を表示する。
したがって、ユーザは、比較用画面を参照して所望の画像を選択するだけで、所望の画質調整パラメータを設定画質調整パラメータとして設定できることとなり、コンテンツの種類や環境光などの変化に容易に対応できるとともに、調整が容易となる。
【０００９】
また、第二形態は、第一形態の画像表示装置において、前記画質調整部は、前記入力画像データを記憶する入力画像記憶部と、前記入力画像記憶部に記憶した前記入力画像データに対し、互いに適用する画質調整パラメータを異ならせて複数の前記原比較用画面データを生成する原比較用画面データ生成部と、を備え、前記比較画面生成部は、前記原比較用画面データ生成部により生成された前記複数の原比較用画面データに基づいて前記比較用画面データを生成する、ことを特徴としている。
上記構成によれば、
前記画質調整部の入力画像記憶部は、入力画像データを記憶し、原比較用画面データ生成部は、入力画像記憶部に記憶した入力画像データに対し、互いに適用する画質調整パラメータを異ならせて複数の原比較用画面データを生成する。
これにより、比較画面生成部は、原比較用画面データ生成部により生成された複数の原比較用画面データに基づいて比較用画面データを生成する。
したがって、容易に比較用画面を生成することが可能となる。
【００１０】
また、第三形態は、第二形態の画像表示装置において、前記比較画面生成部は、前記原比較用画面データが表す画像を縮小して縮小画像データを生成する画像縮小部と、前記画像縮小部により生成された複数の縮小画像データをそれぞれ記憶する複数の縮小画像記憶部と、前記複数の縮小画像データが表す画像を合成して前記比較用画面データを生成する画像合成部と、を備えたことを特徴としている。
上記構成によれば、比較画面生成部の画像縮小部は、原比較用画面データが表す画像を縮小して縮小画像データを生成する。
複数の縮小画像記憶部は、画像縮小部により生成された複数の縮小画像データをそれぞれ記憶する。
これらにより、画像合成部は、複数の縮小画像データが表す画像を合成して前記比較用画面データを生成する。
したがって、簡易な構成で、容易に比較用画面を生成することが可能となる。
【００１１】
また、第四形態は、第一形態の画像表示装置において、前記画質調整部は、前記入力画像データに対し、前記設定画質調整パラメータを適用して前記画質調整画像データを生成する第１画質調整部および前記入力画像データが表す画像を縮小した画像が表す縮小入力画像データに対し互いに適用する画質調整パラメータが異なり、それぞれが前記原比較用画面データを生成する複数の第２画質調整部を有し、前記比較画面生成部は、前記複数の第２画質調整部がそれぞれ出力した複数の原比較用画面データに基づいて前記比較用画面データを生成する、ことを特徴としている。
上記構成によれば、
前記画質調整部の第１画質調整部は、入力画像データに対し、設定画質調整パラメータを適用して前記画質調整画像データを生成する。
一方、複数の第２画質調整部は、入力画像データが表す画像を縮小した画像が表す縮小入力画像データに対し互いに適用する画質調整パラメータが異なり、それぞれが原比較用画面データを生成する。
これにより、比較画面生成部は、複数の第２画質調整部がそれぞれ出力した複数の原比較用画面データに基づいて比較用画面データを生成する。
したがって、簡易な構成で、容易に比較用画面を生成することが可能となる。
【００１２】
また、第五形態は、第四形態の画像表示装置において、前記比較画面生成部は、前記入力画像データが表す画像を縮小した画像に対応する縮小入力画像データを生成する画像縮小部と、前記縮小入力画像データを複数の前記第２画質調整部に分配する画像分配部と、前記複数の第２画質調整部がそれぞれ出力した複数の前記原比較用画面データが表す画像を合成して前記比較用画面データを生成する画像合成部と、を備えたことを特徴としている。
上記構成によれば、比較画面生成部の画像縮小部は、入力画像データが表す画像を縮小した画像に対応する縮小入力画像データを生成する。
これにより、画像分配部は、縮小入力画像データを複数の第２画質調整部に分配する。
この結果、画像合成部は、複数の第２画質調整部がそれぞれ出力した複数の原比較用画面データが表す画像を合成して比較用画面データを生成する。
したがって、簡易な構成で、容易かつ迅速に比較用画面を生成することが可能となる。
【００１３】
また、第六形態は、第一形態ないし第五形態の画像表示装置において、画質調整パラメータとして、一又は複数のプリセットされた画質調整パラメータを適用することを特徴としている。
上記構成によれば、比較用画面の生成がより容易となり、操作性も向上することとなる。
【００１４】
また、第七形態は、第一形態ないし第六形態のいずれかに記載の画像表示装置において、前記画質調整パラメータは、明るさ、コントラスト、色の濃さ、色相、シャープネスおよび色温度のうち少なくともいずれかを含むことを特徴としている。
上記構成によれば、様々な条件で比較用画面を生成することができる。
【００１５】
また、第八形態は、入力された画像データに対し、設定画質調整パラメータを適用して画像を表示する画像表示方法であって、前記画像データに対し、異なる画質調整パラメータを適用した原比較用画面データを複数生成する画質調整過程と、前記画質調整過程により生成された前記原比較用画面データに基づいて、異なる画質調整パラメータを適用した複数の画像を合成した比較用画面を表す比較用画面データを生成する比較画面生成過程と、前記比較画面生成過程において生成した前記比較用画面データに基づいて前記比較用画面の表示を行う表示過程と、前記比較用画面に含まれる、異なる画質調整パラメータを適用した複数の画像のうち、いずれかの画像を選択させる選択過程と、前記選択された画像に適用された前記画質調整パラメータを前記設定画質調整パラメータとするパラメータ設定過程と、を備えたことを特徴としている。
したがって、ユーザは、比較用画面を参照して所望の画像を選択するだけで、所望の画質調整パラメータを設定画質調整パラメータとして設定できることとなり、コンテンツの種類や環境光などの変化に容易に対応できるとともに、調整が容易となる。
【００１６】
また、第九形態は、表示部を有し、入力された画像データに対し、設定画質調整パラメータを適用して画像を表示する画像表示装置をコンピュータにより制御するための制御プログラムであって、前記画像データに対し、異なる画質調整パラメータを適用した原比較用画面データを複数生成させ、生成した前記原比較用画面データに基づいて、異なる画質調整パラメータを適用した複数の画像を合成した比較用画面を表す比較用画面データを生成させ、生成した前記比較用画面データに基づいて前記比較用画面を前記表示部に表示させ、前記比較用画面に含まれる、異なる画質調整パラメータを適用した複数の画像のうち、いずれかの画像を選択させ、前記選択された画像に適用された前記画質調整パラメータを前記設定画質調整パラメータとする、ことを特徴としている。
したがって、ユーザは、比較用画面を参照して所望の画像を選択するだけで、所望の画質調整パラメータを設定画質調整パラメータとして設定できることとなり、コンテンツの種類や環境光などの変化に容易に対応できるとともに、調整が容易となる。
この場合において、制御プログラムをコンピュータ読取可能な記録媒体に記録するようにしても良い。
【発明を実施するための最良の形態】
【００１７】
次に本発明の好適な実施の形態について図面を参照して説明する。
次に図面を参照して本発明の好適な実施の形態について図面を参照して説明する。
［１］第１実施形態
図１は、第１実施形態の画像表示装置の概要構成ブロック図である。
画像表示装置１０は、パーソナルコンピュータとして構成されており、画像処理を行う画像表示装置本体１１と、各種画像入力を行う画像入力装置１２と、各種操作を行うためのキーボード、マウスなどの入力装置１３と、各種表示を行う液晶ディスプレイなどの表示装置１４と、各種データを記憶するハードディスク装置などの外部記憶装置１５と、を備えている。
画像表示装置本体１１は、当該画像表示装置本体１１全体の制御を行うマイクロプロセッサユニット（ＭＰＵ）２１と、表示制御プログラムを含む各種データを記憶するＲＯＭ２２と、各種データを一時的に記憶するＲＡＭ２３と、ＬＡＮ、インターネットなどの外部の通信ネットワークとの間のインタフェース動作を行う通信インタフェース部２４と、を備えている。
【００１８】
図２は、画像表示装置の機能ブロック図である。
画像表示装置１０は、画像入力端子３１から入力された第１画像データＤＧ１をフレーム単位で記憶する第１フレームメモリ３２と、画像入力端子３１から入力された第１画像データＤＧ１あるいは第１フレームメモリ３２から出力された画像信号である第２画像データＤＧ２のいずれかを、第１選択指示信号Ｓｓ１に基づいて排他的に出力する第１切換部３３と、第１切換部３３から出力された画像信号（第１画像データＤＧ１あるいは第２画像データＤＧ２）に対し、パラメータ調整指示データＤｐに基づいて画質調整用のパラメータを適用し、画質調整画像データＤＧＣとして出力する画質調整部３４と、画質調整画像データＤＧＣに対応する画像の画面サイズを縮小して縮小画像データＤＣを出力する画面縮小部３５と、画面縮小部３５が出力した縮小画像データＤＣをフレーム単位で記憶する４個の第２フレームメモリ３６Ａ〜３６Ｄと、４個の第２フレームメモリ３６Ａ〜３６Ｄが出力した第１縮小画像データＤＣ１〜第４縮小画像データＤＣ４（＝原比較用画面データに相当）を合成して合成比較画像データＤＣＣ（＝比較用画面データに相当）を出力する合成部３７と、ユーザが各種操作を行うとともに、第１選択指示信号Ｓｓ１および第２選択指示信号Ｓｓ２を出力する操作部３８と、操作部３８の操作状態に基づいてパラメータ調整指示データＤｐを出力するパラメータ調整部３９と、操作部３８の操作状態に基づいて４個の第２フレームメモリ３６Ａ〜３６Ｄの制御を行うメモリ設定部４０と、操作部３８が出力した第２選択指示信号Ｓｓ２に基づいて、画質調整部３４が出力した画質調整画像データＤＧＣあるいは合成部３７が出力した合成比較画像データＤＣＣのいずれかを排他的に出力する第２切換部４１と、第２切換部４１が出力した画質調整画像データＤＧＣあるいは合成比較画像データＤＣＣに基づいて表示を行う表示部４２と、を備えている。
【００１９】
図３は、画質調整用のパラメータのプリセット値の一例を説明する図である。
本実施形態においては、図３に示すように、工場出荷時にプリセットされているダイナミックモードＭ１、スタンダードモードＭ２、シアターモードＭ３、第１ユーザプリセットモードＭ４、第２ユーザプリセットモードＭ５、第３ユーザプリセットモードＭ６および第４ユーザプリセットモードＭ７の７つのプリセットモードがある。
各プリセットモードＭ１〜Ｍ７には、明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータが設定されている。
各パラメータＰＭ１〜ＰＭ５は、例えば、設定範囲を１０段階に分け、１（最小値）〜１０（最大値）の値が設定可能となっている。また、色温度パラメータＰＭ６については、所定の色温度に対応する値が設定可能となっている。
【００２０】
より具体的には、ダイナミックモードＭ１においては、明るさパラメータＰＭ１＝９、コントラストパラメータＰＭ２＝１０、色の濃さパラメータＰＭ３＝８、色相パラメータＰＭ４＝５、シャープネスパラメータＰＭ５＝９、色温度パラメータＰＭ６＝１１０００［℃］に設定されており、全体として青白い色調で明るさ、コントラスト、色の濃さおよびシャープネスが高いことを示している。また、第２ユーザプリセットモードM5においては、明るさパラメータＰＭ１＝７、コントラストパラメータＰＭ２＝６、色の濃さパラメータＰＭ３＝５、色相パラメータＰＭ４＝３、シャープネスパラメータＰＭ５＝６、色温度パラメータＰＭ６＝４８００［℃］に設定されており、全体として赤っぽい色調で明るさがやや高く、コントラスト、色の濃さおよびシャープネスが標準的であることを示している。
【００２１】
図４は、第１実施形態の処理フローチャートである。
以下の説明においては、画面調整用の比較画面には、最大４つの比較用の画面が同時に表示されるものとし、比較画面の表示に用いるプリセットモードについては、予めユーザにより指示されているものとする。
図５は、第１画像データの一例の説明図である。
ＭＰＵ２１は、画像入力端子３１から入力された、図５に示すような画像Ｇ１に対応する第１画像データＤＧ１をフレーム単位で第１フレームメモリ３２に記憶させる（ステップＳ１）。
これと並行してＭＰＵ２１は、ユーザの操作部１８の操作により、比較用画面の表示指示がなされ、第１選択指示信号Ｓｓ１が入力されると、第１切換部３３として機能し、第１フレームメモリ３２から出力された画像信号である第２画像データＤＧ２を、画質調整部３４に出力する。
【００２２】
これにより、画質調整部３４は、第１切換部３３から出力された第２画像データＤＧ２に対し、パラメータ調整指示データＤｐに基づいて第１の画質調整用のパラメータのプリセット値Ａ、例えば、ダイナミックモードＭ１の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ３）、画質調整画像データＤＧＣとして画面縮小部３５に出力する。
画面縮小部３５は、画質調整画像データＤＧＣに対応する画像の画面サイズを縮小して縮小画像データＤＣを出力し、この縮小画像データＤＣの出力と並行して、メモリ設定部２０は、縮小画像データＤＣの記憶先を第２フレームメモリ３６Ａに設定するので、画質調整用のパラメータのプリセット値Ａを適用することによって得られた画質調整画像データＤＧＣは、第２フレームメモリ３６Ａに書き込まれ、記憶されることとなる（ステップＳ４）。
【００２３】
画質調整用のパラメータのプリセット値Ａを適用することによって得られた画質調整画像データＤＧＣの第２フレームメモリ３６Ａへの書き込みが完了すると、画質調整部３４は、第１切換部３３から出力された第２画像データＤＧ２に対し、今度は、パラメータ調整指示データＤｐに基づいて第２の画質調整用のパラメータのプリセット値Ｂ、例えば、シアターモードＭ３の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ５）、画質調整画像データＤＧＣとして画面縮小部３５に出力する。
画面縮小部３５は、画質調整画像データＤＧＣに対応する画像の画面サイズを縮小して縮小画像データＤＣを出力し、この縮小画像データＤＣの出力と並行して、メモリ設定部２０は、縮小画像データＤＣの記憶先を第２フレームメモリ３６Ｂに設定するので、画質調整用のパラメータのプリセット値Ｂを適用することによって得られた画質調整画像データＤＧＣは、第２フレームメモリ３６Ｂに書き込まれ、記憶されることとなる（ステップＳ６）。
【００２４】
画質調整用のパラメータのプリセット値Ｂを適用することによって得られた画質調整画像データＤＧＣの第２フレームメモリ３６Ｂへの書き込みが完了すると、画質調整部３４は、第１切換部３３から出力された第２画像データＤＧ２に対し、今度は、パラメータ調整指示データＤｐに基づいて第３の画質調整用のパラメータのプリセット値Ｃ、例えば、第２ユーザプリセットモードＭ５の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ７）、画質調整画像データＤＧＣとして画面縮小部３５に出力する。
画面縮小部３５は、画質調整画像データＤＧＣに対応する画像の画面サイズを縮小して縮小画像データＤＣを出力し、この縮小画像データＤＣの出力と並行して、メモリ設定部４０は、縮小画像データＤＣの記憶先を第２フレームメモリ３６Ｃに設定するので、画質調整用のパラメータのプリセット値Ｂを適用することによって得られた画質調整画像データＤＧＣは、第２フレームメモリ３６Ｃに書き込まれ、記憶されることとなる（ステップＳ８）。
【００２５】
画質調整用のパラメータのプリセット値Ｃを適用することによって得られた画質調整画像データＤＧＣの第２フレームメモリ３６Ｃへの書き込みが完了すると、画質調整部３４は、第１切換部３３から出力された第２画像データＤＧ２に対し、今度は、パラメータ調整指示データＤｐに基づいて第４の画質調整用のパラメータのプリセット値Ｄ、例えば、第４ユーザプリセットモードＭ７の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ９）、画質調整画像データＤＧＣとして画面縮小部３５に出力する。
画面縮小部３５は、画質調整画像データＤＧＣに対応する画像の画面サイズを縮小して縮小画像データＤＣを出力し、この縮小画像データＤＣの出力と並行して、メモリ設定部２０は、縮小画像データＤＣの記憶先を第２フレームメモリ３６Ｄに設定するので、画質調整用のパラメータのプリセット値Ｂを適用することによって得られた画質調整画像データＤＧＣは、第２フレームメモリ３６Ｄに書き込まれ、記憶されることとなる（ステップＳ１０）。
次に合成部３７は、第２フレームメモリ３６Ａ〜３６Ｄからそれぞれに対応する画質調整画像データＤＧＣを読み出し、１画面に合成し、第２切換部４１に出力する（ステップＳ１１）。
このとき、ＭＰＵ２１は、操作部１８の操作による第２選択指示信号Ｓｓ２が入力されているので、第２切換部４１として機能し、合成部３７から出力された合成比較画像データＤＣＣを表示部４２に出力し、合成比較画面を表示する（ステップＳ１１）。
【００２６】
図６は、合成比較画面の表示例の説明図である。
図６に示すように、合成比較画面６０は、画質調整用のパラメータのプリセット値Ａを適用することによって得られた第２フレームメモリ３６Ａに格納された画質調整画像データＤＧＣに対応する画像を表示する第１画像表示領域６１Ａと、画質調整用のパラメータのプリセット値Ｂを適用することによって得られた第２フレームメモリ３６Ｂに格納された画質調整画像データＤＧＣに対応する画像を表示する第２画像表示領域６１Ｂと、画質調整用のパラメータのプリセット値Ｃを適用することによって得られた第２フレームメモリ３６Ｃに格納された画質調整画像データＤＧＣに対応する画像を表示する第３画像表示領域６１Ｃと、画質調整用のパラメータのプリセット値Ｄを適用することによって得られた第２フレームメモリ３６Ｄに格納された画質調整画像データＤＧＣに対応する画像を表示する第４画像表示領域６１Ｄと、を備えている。
これにより、ユーザは、第１画像表示領域６１Ａ〜第４画像表示領域６１Ｄに表示された画像のうち、所望の画質を有する画像を操作部１８を介して指示し、選択する（ステップＳ１２）。この場合において、第１画像表示領域６１Ａ〜第４画像表示領域６１Ｄに表示された画像の画質は、予め選択したプリセット値に依存することとなるが、画像入力端子３１から入力された元の画像（第１画像データＤＧ１に対応する画像）のもともとの画質や、視聴環境（環境光など）によって最もユーザが適していると考える画質に容易に調整することが可能となる。
【００２７】
この結果、ＭＰＵは、選択した画像に対応する画質調整用のパラメータのプリセット値を画質調整部３４に設定する（ステップＳ１３）。この結果、例えば、第２画像表示領域６１Ｂに表示されている画像が選択された場合には、画質調整用のパラメータのプリセット値Ｂが画質調整部３４に設定されることとなる。
そして、操作部３８を介した画像の選択がなされると、第１選択指示信号Ｓｓ１により、第１切換部３３が画像入力端子３１側に切り換えられ、第２選択指示信号Ｓｓ２により、第２切換部４１が画質調整部３４側に切り換えられる（ステップＳ１４）。
この結果、画像入力端子３１から入力された第１画像データＤＧ１は、画質調整部３４に入力され、画質調整部３４は、第１切換部３３を介して入力された第１画像データＤＧ１に対し、パラメータ調整指示データＤｐに基づいて、画質調整用のパラメータのプリセット値Ｂを適用し、第２切換部４１を介して表示部４２に出力することとなり、表示部４２には、ユーザが選択した画質に対応する、画質調整用のパラメータのプリセット値Ｂが適用された画像が表示されることとなる。
以上の説明のように、本第１実施形態によれば、ユーザは、複数の縮小画面から所望の縮小画面を選択することにより、ユーザにとってより最適な画質に設定することが可能となる。
【００２８】
［２］第２実施形態
図７は、第２実施形態の画像処理装置の機能ブロック図である。
画像処理装置７０は、画像入力端子７１から入力された画像データＤＧに対応する画像の画面サイズを縮小して縮小画像データＤＣを出力する画面縮小部７２と、縮小画像データＤＣを分配出力する分配部７３と、パラメータ調整指示データＤｐ０に基づいて第１画像データＤＧ１に対し画質調整用のパラメータを適用し、画質調整画像データＤＧＣとして出力する主画質調整部７４と、パラメータ調整指示データＤｐ１に基づいて縮小画像データＤＣに対し画質調整用のパラメータを適用し、第１縮小画質調整画像データＤＧＣ１として出力する第１副画質調整部７５Ａと、パラメータ調整指示データＤｐ２に基づいて縮小画像データＤＣに対し画質調整用のパラメータを適用し、第２縮小画質調整画像データＤＧＣ２として出力する第２副画質調整部７５Ｂと、パラメータ調整指示データＤｐ３に基づいて縮小画像データＤＣに対し画質調整用のパラメータを適用し、第３縮小画質調整画像データＤＧＣ３として出力する第３副画質調整部７５Ｃと、パラメータ調整指示データＤｐ４に基づいて縮小画像データＤＣに対し画質調整用のパラメータを適用し、第４縮小画質調整画像データＤＧＣ４として出力する第４副画質調整部７５Ｄと、第１縮小画質調整画像データＤＧＣ１〜第４縮小画質調整画像データＤＧＣ４（＝原比較用画面データに相当）が入力され、第１縮小画質調整画像データＤＧＣ１〜第４縮小画質調整画像データＤＧＣ４を合成して合成比較画像データＤＣＣ（＝比較用画面データに相当）を出力する合成部７６と、画像入力端子７１から入力された画像データＤＧあるいは合成部７６から出力された合成比較画像データＤＣＣのいずれかを選択指示信号Ｓｓに基づいて排他的に出力する切換部７７と、ユーザが各種操作を行うとともに、操作状態に基づいて選択指示信号Ｓｓを含む各種操作信号を出力する操作部７８と、操作部７８の操作状態に基づいてパラメータ調整指示データＤｐを出力するパラメータ調整部７９と、パラメータ調整部７９により出力されたパラメータ調整指示データＤｐを第１副画質調整部７５Ａ〜第４副画質調整部７５Ｄのいずれかに対してパラメータ調整指示データＤｐ１〜Ｄｐ４として設定するパラメータ設定部８０と、主画質調整部７４が出力した画質調整画像データＤＧＣあるいは合成比較画像データＤＣＣに基づいて表示を行う表示部８１と、を備えている。
【００２９】
図８は、第２実施形態の処理フローチャートである。
以下の説明においては、画面調整用の比較画面には、最大４つの比較用の画面が同時に表示されるものとし、比較画面の表示に用いるプリセットモードについては、予めユーザにより指示されているものとする。
ＭＰＵ２１は、切換部７７を合成部７６側に切り換える（ステップＳ２１）。
これと並行して画面縮小部７２は、画像入力端子７１から入力された画像データＤＧに対応する画像の画面サイズを縮小して縮小画像データＤＣを分配部７３に出力する。分配部７３は、縮小画像データＤＣを第１副画質調整部７５Ａ〜第４副画質調整部７５Ｄに分配出力する。
これにより、第１副画質調整部７５Ａは、分配部７３から出力された縮小画像データＤＣに対し、パラメータ調整指示データＤｐ１に基づいて第１の画質調整用のパラメータのプリセット値Ａ、例えば、ダイナミックモードＭ１の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ２２）、第１縮小画質調整画像データＤＧＣ１として合成部７６に出力する。
【００３０】
また、第２副画質調整部７５Ｂは、分配部７３から出力された縮小画像データＤＣに対し、パラメータ調整指示データＤｐ２に基づいて第２の画質調整用のパラメータのプリセット値Ｂ、例えば、シアターモードＭ３の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ２３）、第２縮小画質調整画像データＤＧＣ２として合成部７６に出力する。
また、第３副画質調整部７５Ｃは、分配部７３から出力された縮小画像データＤＣに対し、パラメータ調整指示データＤｐ３に基づいて第３の画質調整用のパラメータのプリセット値Ｃ、例えば、第２ユーザプリセットモードＭ５の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ２４）、第３縮小画質調整画像データＤＧＣ３として合成部７６に出力する。
【００３１】
また、第４副画質調整部７５Ｄは、分配部７３から出力された縮小画像データＤＣに対し、パラメータ調整指示データＤｐ４に基づいて第４の画質調整用のパラメータのプリセット値Ｄ、例えば、第４ユーザプリセットモードＭ７の明るさパラメータＰＭ１、コントラストパラメータＰＭ２、色の濃さパラメータＰＭ３、色相パラメータＰＭ４、シャープネスパラメータＰＭ５および色温度パラメータＰＭ６の６つのパラメータを適用し（ステップＳ２５）、第４縮小画質調整画像データＤＧＣ４として合成部７６に出力する。
次に合成部７６は、入力された第１縮小画質調整画像データＤＧＣ１〜第４縮小画質調整画像データＤＧＣ４を１画面に合成し、切換部７７に出力する（ステップＳ２６）。
このとき、ＭＰＵ２１は、操作部１８の操作による選択指示信号Ｓｓが入力されているので、合成部７６から出力された合成比較画像データＤＣＣを表示部８１に出力し、図６に示したような合成比較画面を表示する。
これにより、ユーザは、第１画像表示領域６１Ａ〜第４画像表示領域６１Ｄ（図６参照）に表示された画像のうち、所望の画質を有する画像を操作部７８を介して指示し、選択する（ステップＳ２７）。この場合においても、第１画像表示領域６１Ａ〜第４画像表示領域６１Ｄに表示された画像の画質は、予め選択したプリセット値に依存することとなるが、画像入力端子７１から入力された元の画像（第１画像データＤＧ１に対応する画像）のもともとの画質や、視聴環境（環境光など）によって最もユーザが適していると考える画質に容易に調整することが可能となる。
【００３２】
この結果、ＭＰＵ２１は、選択した画像に対応する画質調整用のパラメータのプリセット値を主画質調整部７４に設定する（ステップＳ２８）。この結果、例えば、第２画像表示領域６１Ｂに表示されている画像が選択された場合には、画質調整用のパラメータのプリセット値Ｂが主画質調整部７４に設定されることとなる。
そして、操作部７８を介した画像の選択がなされると、選択指示信号Ｓｓにより、切換部７７が主画質調整部７４側に切り換えられる。
この結果、画像入力端子７１から入力された画像データＤＧは、主画質調整部７４に入力され、主画質調整部７４は、入力された画像データＤＧに対し、パラメータ調整指示データＤｐに基づいて、画質調整用のパラメータのプリセット値Ｂを適用し、切換部７７に出力することとなり、表示部８１には、ユーザが選択した画質に対応する、画質調整用のパラメータのプリセット値Ｂが適用された画像が表示されることとなる。
以上の説明のように、本第２実施形態によっても、ユーザは、複数の縮小画面から所望の縮小画面を選択することにより、ユーザにとってより最適な画質に設定することが可能となる。
【００３３】
以上の説明においては、比較用画面に複数の縮小画面を表示するに際し、画質調整用のパラメータのプリセット値を用いるようにしていたが、一部または全部の縮小画面について、ユーザが任意に設定した画質調整用のパラメータを設定するように構成することも可能である。
以上の説明においては、上記各機能を実現するための制御プログラムが、予めＲＯＭに格納されている場合について説明したが、制御プログラムを、コンピュータ読取可能な記録媒体に記録するようにしてもよい。このような構成であれば、コンピュータによってプログラムが記憶媒体から読み取られ、読み取られたプログラムに従ってコンピュータが処理を実行すると、上記実施形態の画像情報処理装置と同等の作用および効果が得られる。
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、どのような記憶媒体であってもよい。
また、インターネット、ＬＡＮなどの通信ネットワークを介して制御用プログラムをダウンロードし、インストールして実行するように構成することも可能である。
【図面の簡単な説明】
【００３４】
【図１】第１実施形態の画像処理装置の概要構成ブロック図である。
【図２】画像処理装置の機能ブロック図である。
【図３】画質調整用のパラメータのプリセット値の一例を説明する図である。
【図４】第１実施形態の処理フローチャートである。
【図５】第１画像データの一例の説明図である。
【図６】合成比較画面の表示例の説明図である。
【図７】第２実施形態の画像処理装置の機能ブロック図である。
【図８】第２実施形態の処理フローチャートである。
【符号の説明】
【００３５】
１０…画像表示装置、１１…画像表示装置本体、１２…画像入力装置、１３…入力装置、１４…表示装置、１５…外部記憶装置、２０…メモリ設定部、２１…ＭＰＵ、２２…ＲＯＭ、２３…ＲＡＭ、２４…通信インタフェース部、３１…画像入力端子、３２…第１フレームメモリ、３３…第１切換部、３４…画質調整部、３５…画面縮小部、３６Ａ…第２フレームメモリ、３６Ｂ…第２フレームメモリ、３６Ｃ…第２フレームメモリ、３６Ｄ…第２フレームメモリ、３７…合成部、３８…操作部、３９…パラメータ調整部、４０…メモリ設定部、４１…第２切換部、４２…表示部、６０…合成比較画面、６１Ａ…第１画像表示領域、６１Ｂ…第２画像表示領域、６１Ｃ…第３画像表示領域、６１Ｄ…第４画像表示領域、７０…画像処理装置、７１…画像入力端子、７２…画面縮小部、７３…分配部、７４…主画質調整部、７５Ａ…第１副画質調整部、７５Ｂ…第２副画質調整部、７５Ｃ…第３副画質調整部、７５Ｄ…第４副画質調整部、７６…合成部、７７…切換部、７８…操作部、７９…パラメータ調整部、８０…パラメータ設定部、８１…表示部。
【図１】
2008187320.tif 000003
【図２】
2008187320.tif 000004
【図３】
2008187320.tif 000005
【図４】
2008187320.tif 000006
【図５】
2008187320.tif 000007
【図６】
2008187320.tif 000008
【図７】
2008187320.tif 000009
【図８】
2008187320.tif 000010